(57)【要約】【課題】スピーカの振動を検出する装置の構造が複雑になるのを抑制するとともに、スピーカの振動が小さい場合にでもスピーカの振動を制御することが可能なスピーカを提供する。【解決手段】このスピーカ１は、出射される光の方向がボビン１４が振動する方向と交差する方向にボビン１４の側部に接合されるＬＥＤ２１と、ＬＥＤ２１と対向するようにＬＥＤ２１の光の出射方向側に配置され、ＬＥＤ２１から出射される光を直接受光するフォトトランジスタ２３と、ＬＥＤ２１とフォトトランジスタ２３との間に設けられ、ＬＥＤ２１から出射される光を遮るための遮蔽部２２ｅとを備え、ボビン１４が振動することによりＬＥＤ２１の位置が変化するとともに、ＬＥＤ２１の位置により遮蔽部２２ｅによって遮られる光量が変化するように構成されている。【選択図】図４
2008312088.tif 000002
【特許請求の範囲】
【請求項１】
磁石と、
前記磁石の中央部に配置されるとともに、コイルが巻回されているボビンと、
出射される光の方向が前記ボビンが振動する方向と交差する方向に前記ボビンの側部に接合される発光素子と、
前記発光素子と対向するように前記発光素子の光の出射方向側に配置され、前記発光素子から出射される光を直接受光する受光素子と、
前記発光素子と前記受光素子との間に設けられ、前記発光素子から出射される光を遮るための遮蔽部とを備え、
前記ボビンが振動することにより前記発光素子の位置が変化するとともに、前記発光素子の位置により前記遮蔽部によって遮られる光量が変化するように構成されている、スピーカ。
【請求項２】
前記遮蔽部は、前記受光素子の光を受光する受光部を前記発光素子の出射方向側から見て、前記受光部の下側半分および上側半分のうちのいずれか一方を覆うように配置されている、請求項１に記載のスピーカ。
【請求項３】
前記受光素子を支持する支持部をさらに備え、
前記遮蔽部は、前記支持部に一体的に形成されている、請求項１または２のいずれか１項に記載のスピーカ。
【請求項４】
前記受光素子は、前記ボビンが振動していない状態では、前記発光素子が出射する光の光路上に位置するように配置されている、請求項１〜３のいずれか１項に記載のスピーカ。
【請求項５】
前記受光素子は、前記ボビンが前記ボビンの振動の振幅の一方端に位置するときに最大光量を受光し、前記ボビンが前記ボビンの振動の振幅の他方端に位置するときに最小光量を受光するように配置されている、請求項１〜４のいずれか１項に記載のスピーカ。
【請求項６】
前記遮蔽部は、前記受光素子と前記発光素子の出射方向側に所定の間隔を隔てて配置されている、請求項１〜５のいずれか１項に記載のスピーカ。
【発明の詳細な説明】
【技術分野】
【０００１】
この発明は、スピーカに関し、特に、スピーカの振動を検出するための発光素子と受光素子とを備えるスピーカに関する。
【背景技術】
【０００２】
従来、スピーカの振動を検出するための発光素子と受光素子とを備えるスピーカが知られている（たとえば、特許文献１〜４参照）。
【０００３】
上記特許文献１には、発光素子が、発光素子から出射される光の光路がスピーカの振動する方向に対して垂直になるようにボイスコイルの側部に配置されるスピーカが開示されている。このスピーカでは、発光素子と対向するように複数の受光素子が配置されており、ボイスコイルとともに振動する発光素子から出射される光を受光素子が受光することによりボイスコイルの振動変位量を検出している。このボイスコイルの振動変位量を基にしてスピーカの振動を制御している。
【０００４】
また、上記特許文献２には、発光素子が、発光素子から出射される光の光路がスピーカの振動する方向に対して垂直になるようにボイスコイルと振動板とが接合される部分に配置されるスピーカが開示されている。このスピーカでは、発光素子と対向するように光検出器（受光素子）が配置されており、ボイスコイルおよび振動板とともに振動する発光素子から出射される光を光検出器が受光するとともに、光検出器に接続されている位置検出回路により、ボイスコイルおよび振動板の変位を求めている。なお、光検出器は、発光素子が振動しても、発光素子の発光位置の中心を捕らえられるように、ボイスコイルおよび振動板が振動する方向に所定の長さを有するように構成されている。このボイスコイルおよび振動板の変位を基にしてスピーカの振動を制御している。
【０００５】
また、上記特許文献３には、フォトリフレクタ（発光素子と受光素子とが１つの筐体に収められたもの）が、フォトリフレクタから出射される光の光路がスピーカの振動する方向に対して垂直になるように配置されるスピーカが開示されている。このスピーカでは、ボビンの側部上に、ボビンが振動する方向に所定の間隔を隔てて一対の光反射部が形成されている。また、ボビン（スピーカ）が振動しない状態では、フォトリフレクタから出射される光が、ボビンの側部上の一方の光反射部と他方の光反射部との中間の位置に当たるようにフォトリフレクタの位置が調節されている。スピーカの振動が小さい場合には、フォトリフレクタから出射される光が光反射板に当たらないので、フォトリフレクタに収められる受光素子は、光を受光しない。一方、スピーカが所定の幅以上に振動する場合、光反射部によってフォトリフレクタから出射される光が反射するため、受光素子によって光が検出される。これにより、スピーカが所定の幅以上に振動する場合に、スピーカの振動が制御される。
【０００６】
また、上記特許文献４には、振動板に向かって光を出射する発光素子と、発光素子と振動板との間に設けられたレンズと、発光素子から出射され、振動板によって反射される光を受光する受光素子とを備えた光マイクロホンが開示されている。この光マイクロホンでは、受光素子は、発光素子の光が出射される側とは反対の側に配置されている。また、受光素子は、発光素子が配置される位置よりも高い位置の光を検出する領域と、低い位置の光を検出する領域とを含んでいる。また、発光素子の下側には、振動板によって反射され、受光素子によって受光される光の一部を遮るための遮蔽板が設けられている。この光マイクロホンでは、振動板によって反射される光が、振動板と発光素子との間に配置されたレンズによって収束されるとともに、この光が収束される焦点が、振動板が振動することにより移動するように構成されている。また、光の焦点が移動することによって、反射光の上部または下部が遮蔽板によって遮蔽される場合と、反射光が遮蔽されない場合とを有するように遮蔽板の位置が調節されている。これにより、振動板の位置が変化することによって、受光素子の発光素子が配置される位置よりも高い位置の光を検出する領域と、低い位置の光を検出する領域とにおいて検出される反射光の光量に差が生じる。この検出される光量の差から振動板の振動を検出している。
【０００７】
【特許文献１】特許第２９４０５８７号公報
【特許文献２】特開平４−４０１９９号公報
【特許文献３】特開平５−９５５９７号公報
【特許文献４】特開２００１−２３８２９３号公報
【発明の開示】
【発明が解決しようとする課題】
【０００８】
しかしながら、上記特許文献１に記載のスピーカでは、ボイスコイルの振動変位量を検出するのに、発光素子から出射される光を検出するための複数の受光素子が必要であるので、スピーカの振動を検出する装置の構造が複雑になるという問題点がある。
【０００９】
また、上記特許文献２に記載のスピーカでは、光検出器は、発光素子が振動しても、発光素子の発光位置の中心を捕らえられるように、ボイスコイルおよび振動板が振動する方向に所定の長さを有するように構成されていることにより、光検出器に複数の受光素子を配置する必要があると考えられる。これにより、スピーカの振動を検出する装置の構造が複雑になるという問題点がある。
【００１０】
また、上記特許文献３に記載のスピーカでは、ボビンが振動する方向に所定の間隔を隔てて形成された一対の光反射部により反射される光を検出することによりスピーカの振動を制御しているので、スピーカの振動が小さい場合には発光素子から出射される光が反射されないことによりスピーカの振動を制御することができないという問題点がある。
【００１１】
また、上記特許文献４に記載の光マイクロホンでは、受光素子の発光素子が配置される位置よりも高い位置の光を検出する領域と、低い位置の光を検出する領域とに入射する光を検出するように構成されているので、複数の受光素子を配置する必要があると考えられる。これにより、振動板の位置を検出する装置の構造が複雑になるという問題点がある。
【００１２】
この発明は、上記のような課題を解決するためになされたものであり、この発明の１つの目的は、スピーカの振動を検出する装置の構造が複雑になるのを抑制するとともに、スピーカの振動が小さい場合にでもスピーカの振動を制御することが可能なスピーカを提供することである。
【課題を解決するための手段および発明の効果】
【００１３】
この発明の一の局面によるスピーカは、磁石と、磁石の中央部に配置されるとともに、コイルが巻回されているボビンと、出射される光の方向がボビンが振動する方向と交差する方向にボビンの側部に接合される発光素子と、発光素子と対向するように発光素子の光の出射方向側に配置され、発光素子から出射される光を直接受光する受光素子と、発光素子と受光素子との間に設けられ、発光素子から出射される光を遮るための遮蔽部とを備え、ボビンが振動することにより発光素子の位置が変化するとともに、発光素子の位置により遮蔽部によって遮られる光量が変化するように構成されている。
【００１４】
この一の局面によるスピーカでは、上記のように、発光素子と、受光素子と、発光素子と受光素子との間に設けられ、発光素子から出射される光を遮るための遮蔽部とを備え、発光素子の位置により遮蔽部によって遮られる光量が変化するように構成されていることによって、受光素子に受光される光量に基づいて発光素子の位置を検出することができるので、発光素子が接合されているボビン（スピーカ）の振動を検出することができる。また、発光素子と発光素子の振動する方向に並べられた複数の受光素子とにより発光素子の位置を検出する場合と異なり、発光素子から出射される光の光量を受光するための１つの受光素子によって発光素子の位置を検出することができるので、スピーカの振動を検出する装置の構造が複雑になるのを抑制することができる。また、発光素子の位置により遮蔽部によって遮られる光量が変化するように構成されていることにより、ボビンの振動の大小に関わらず遮蔽部によって遮られる光量が変化するので、ボビンの振動が小さい場合にでもボビンの振動を検出することができる。
【００１５】
上記一の局面によるスピーカにおいて、好ましくは、遮蔽部は、受光素子の光を受光する受光部を発光素子の出射方向側から見て、受光部の下側半分および上側半分のうちのいずれか一方を覆うように配置されている。このように構成すれば、たとえば遮蔽部が受光部の下側半分を覆うように配置されている場合、発光素子が受光素子よりも高い位置にあるときは遮蔽部によって光が遮られないことにより受光素子の受光量は大きくなり、発光素子が受光素子よりも低い位置にあるときは遮蔽部によって光が遮られることにより受光素子の受光量は小さくなるので、発光素子の位置によって受光素子の受光する光量を変化させることができる。
【００１６】
上記一の局面によるスピーカにおいて、好ましくは、受光素子を支持する支持部をさらに備え、遮蔽部は、支持部に一体的に形成されている。このように構成すれば、遮蔽部を設けたとしても部品点数が増加するのを抑制するとともに、遮蔽部を支持部と異なる部材により形成する場合に比べて、構造を簡素化することができる。
【００１７】
上記一の局面によるスピーカにおいて、好ましくは、受光素子は、ボビンが振動していない状態では、発光素子が出射する光の光路上に位置するように配置されている。このように構成すれば、ボビンが振動していない状態に受光素子が受光する受光量を基準とすることにより、容易に、ボビンが振動した場合、基準となる受光量と、ボビンが振動したときの受光量との差から発光素子（ボビン）の振動量を検出することができる。
【００１８】
上記一の局面によるスピーカにおいて、好ましくは、受光素子は、ボビンがボビンの振動の振幅の一方端に位置するときに最大光量を受光し、ボビンがボビンの振動の振幅の他方端に位置するときに最小光量を受光するように配置されている。このように構成すれば、ボビンの位置によって受光素子が受光する受光量が変化するので、受光素子の受光量からボビンの振動を検出することができる。
【００１９】
上記一の局面によるスピーカにおいて、好ましくは、遮蔽部は、受光素子と発光素子の出射方向側に所定の間隔を隔てて配置されている。このように構成すれば、遮蔽部が受光素子に接するように配置されている場合と異なり、受光素子の遮蔽部と接する部分が光を受光できなくなるのを抑制することができるので、受光素子の感度が悪くなるのを抑制することができる。
【発明を実施するための最良の形態】
【００２０】
以下、本発明を具体化した実施形態を図面に基づいて説明する。
【００２１】
図１は、本発明の一実施形態によるスピーカ装置の全体構成を示したブロック図である。まず、図１を参照して、本発明の一実施形態によるスピーカ装置１００の全体構成について説明する。
【００２２】
本発明の一実施形態によるスピーカ装置１００では、スピーカ１と、パワーアンプ２と、ＭＦＢ（モーショナルフィードバック）帰還アンプ３とから構成されている。また、入力信号（音響信号）は、ＭＦＢ帰還アンプ３に入力されるように構成されている。また、スピーカ１には、後述するＬＥＤ２１が設けられているとともに、ＬＥＤ２１と対向する位置には、フォトトランジスタ２３が設けられている。また、フォトトランジスタ２３とＭＦＢ帰還アンプ３とは電気的に接続されている。
【００２３】
また、図２〜図４は、本発明の一実施形態によるスピーカの構造を説明するための図である。図５は、本発明の一実施形態によるフォトトランジスタ支持部材の斜視図である。図６は、本発明の一実施形態によるフォトトランジスタに入射する光量を説明するための図である。また、図７は、本発明の一実施形態による遮蔽部とフォトトランジスタとをＬＥＤの出射方向側から見た図である。まず、図１〜図７を参照して本発明の一実施形態によるスピーカ１の構造について説明する。
【００２４】
本発明の一実施形態によるスピーカ１では、図２〜図４に示すように、凹状のフレーム１１の内側に、上端部が切断された中空の円錐状のコーン紙１２が切断面を下向きにして配置されている。また、フレーム１１の側面には、後述するＬＥＤ２１から出射される光が通るための孔部１１ａが設けられている。また、フレーム１１の上端部とコーン紙１２の下端部（切断された上端部と反対の端部）とは、コーンエッジ１３を介して接続されている。また、コーン紙１２の下方には、円筒状のボビン１４が配置されており、コーン紙１２の上端が切断された切断面とボビン１４とが接合されている。また、ボビン１４の上面には、コーン紙１２の上端が切断された切断面を覆うように、上に凸状のキャップ部１５が接合されている。また、フレーム１１の内側面とボビン１４の側部との間には、切断面が波状のダンパ１６が設けられている。なお、ダンパ１６は、フレーム１１の内側面とボビン１４の側部との間を平面的に見て覆うように設けられている。
【００２５】
また、図４に示すように、ボビン１４の側部にはボイスコイル１７が巻回されている。なお、ボイスコイル１７は、本発明の「コイル」の一例である。また、フレーム１１の下面には、リング状のヨーク１８と、リング状のマグネット１９とが配置されている。なお、マグネット１９は、本発明の「磁石」の一例である。また、マグネット１９は、ヨーク２０によって支持されている。なお、マグネット１９の一方側面は、ボイスコイル１７と対向する位置に配置されている。また、マグネット１９は、マグネット１９の他方側面が、ヨーク１８および２０の側面よりも外側に突出するように構成されている。また、ヨーク２０の中央部には、円筒状のボビン１４の内周面に嵌め込まれる凸部２０ａが形成されている。ここで、本実施形態では、ボビン１４の側部には、出射される光の方向がボビン１４が振動する方向（Ｚ方向）と交差するようにＬＥＤ２１が接合されている。なお、ＬＥＤ２１は、本発明の「発光素子」の一例である。
【００２６】
また、図２〜図４に示すように、リング状のマグネット１９のヨーク１８および２０の側面よりも外側に突出している部分には、フォトトランジスタ支持部材２２が嵌め込まれている。なお、フォトトランジスタ支持部材２２は、本発明の「支持部」の一例である。また、フォトトランジスタ支持部材２２は、図５および図６に示すように、柱部２２ａ、フォトトランジスタ支持部２２ｂ、マグネット取付部２２ｃ、先端部２２ｄ、遮蔽部２２ｅおよび突出部２２ｆにより構成されている。
【００２７】
また、本実施形態では、図５および図６に示すように、フォトトランジスタ支持部２２ｂと突出部２２ｆとは、それぞれ、平板状であるとともに、柱部２２ａが延びる方向に対して垂直な方向にフォトトランジスタ支持部材２２に一体的に形成されている。また、本実施形態では、フォトトランジスタ支持部２２ｂの上面上と突出部２２ｆの下面上との間に、ＬＥＤ２１から出射される光を直接受光するフォトトランジスタ２３が配置されている。なお、フォトトランジスタ２３は、本発明の「受光素子」の一例である。また、本実施形態では、図４に示すように、フォトトランジスタ２３は、ボビン１４が振動していない状態では、ＬＥＤ２１が出射する光の光路上に位置するように配置されている。また、フォトトランジスタ２３は、図１に示すように、ＭＦＢ帰還アンプ３に電気的に接続されている。
【００２８】
また、本実施形態では、図４〜図６に示すように、フォトトランジスタ支持部材２２の遮蔽部２２ｅは、フォトトランジスタ２３とＬＥＤ２１との間に位置するように、フォトトランジスタ支持部２２ｂの端部に設けられている。また、遮蔽部２２ｅは、平板状であるとともに、フォトトランジスタ支持部２２ｂがＬＥＤ２１側に延びる方向に対して（ＬＥＤ２１が出射する光の光路に対して）垂直になるように形成されている。また、本実施形態では、遮蔽部２２ｅは、フォトトランジスタ２３とＬＥＤ２１の出射方向側に所定の間隔を隔てて配置されている。また、本実施形態では、図７に示すように、フォトトランジスタ支持部材２２の遮蔽部２２ｅは、フォトトランジスタ２３の光を受光する受光部２３ａをＬＥＤ２１の出射方向側から見て、受光部２３ａの下側半分を覆うように配置されている。
【００２９】
また、図６に示すように、フォトトランジスタ支持部材２２の突出部２２ｆがフォトトランジスタ２３の上方から入射する光を遮らないように、突出部２２ｆの端部２２１ｆは、フォトトランジスタ２３の受光部２３ａの前面よりも突出しないように形成されている。
【００３０】
また、図２〜図５に示すように、フォトトランジスタ支持部材２２のマグネット取付部２２ｃは、Ｃ字形状を有しており、マグネット取付部２２ｃを、マグネット１９のヨーク１８および２０の側面よりも外側に突出した部分に嵌め込むように固定されている。なお、フォトトランジスタ支持部材２２の先端部２２ｄは、図５に示すように、マグネット１９にマグネット取付部２２ｃが容易に嵌め込むことができるように、テーパ状に形成されている。
【００３１】
次に、図１、図４および図６を参照して、本発明の一実施形態によるスピーカ１のＭＦＢ（モーショナルフィードバック）の動作について説明する。
【００３２】
図１に示すように、入力信号（音響信号）がＭＦＢ帰還アンプ３を介してパワーアンプ２に入力される。パワーアンプ２に入力された信号は、パワーアンプ２によって増幅された後、スピーカ１に入力される。なお、パワーアンプ２とボイスコイル１７とは、電気的に接続されており、図４に示すように、ボイスコイル１７に流れる電流（入力信号）とマグネット１９との間に働く力によって、ボイスコイル１７が巻回されているボビン１４が約±２ｍｍＺ方向に振動する。これにより、コーン紙１２が振動するので、スピーカ１から音波が発せられる。
【００３３】
次に、ボビン１４がＺ方向に振動することにより、図６に示すように、ボビン１４の側部に設けられているＬＥＤ２１もＺ方向に振動する。ここで、本実施形態では、フォトトランジスタ２３は、ボビン１４がボビン１４の振動の振幅の一方端であるＢに位置するときに最大光量を受光し、ボビン１４がボビン１４の振動の振幅の他方端であるＣに位置するときに最小光量を受光するように配置されている。また、フォトトランジスタ２３は、ボビン１４がボビン１４の振動の振幅の中央であるＡに位置するときに最大光量の半分を受光するように配置されている。また、フォトトランジスタ２３には、入射される光量に応じて起電力が発生する。この起電力は、リード線２４を介して、ＭＦＢ帰還アンプ３（図１参照）に入力される。このフォトトランジスタ２３に発生する起電力の大きさに基づいて、入力信号をＭＦＢ帰還アンプ３によって増幅させることにより、ボビン１４の振動が入力信号に対応するようにスピーカ１の振動が制御される。
【００３４】
本実施形態では、上記のように、ＬＥＤ２１と、フォトトランジスタ２３と、ＬＥＤ２１とフォトトランジスタ２３との間に設けられ、ＬＥＤ２１から出射される光を遮るための遮蔽部２２ｅとを備え、ＬＥＤ２１の位置により遮蔽部２２ｅによって遮られる光量が変化するように構成することによって、フォトトランジスタ２３に受光される光量に基づいてＬＥＤ２１の位置を検出することができるので、ＬＥＤ２１が接合されているボビン１４（スピーカ１）の振動を検出することができる。また、ＬＥＤ２１とＬＥＤ２１の振動する方向に並べられた複数のフォトトランジスタ２３とによりＬＥＤ２１の位置を検出する場合と異なり、ＬＥＤ２１から出射される光の光量を受光するための１つのフォトトランジスタ２３によってＬＥＤ２１の位置を検出することができるので、スピーカ１の振動を検出する装置の構造が複雑になるのを抑制することができる。また、ＬＥＤ２１の位置により遮蔽部２２ｅによって遮られる光量が変化するように構成することにより、ボビン１４の振動の大小に関わらず遮蔽部２２ｅによって遮られる光量が変化するので、ボビン１４の振動が小さい場合にでもボビン１４の振動を検出することができる。
【００３５】
また、本実施形態では、遮蔽部２２ｅを、フォトトランジスタ２３の光を受光する受光部２３ａをＬＥＤ２１の出射方向側から見て、受光部２３ａの下側半分を覆うように配置することによって、ＬＥＤ２１がフォトトランジスタ２３よりも高い位置にあるときは遮蔽部２２ｅによって光が遮られないことによりフォトトランジスタ２３の受光量は大きくなり、ＬＥＤ２１がフォトトランジスタ２３よりも低い位置にあるときは遮蔽部２２ｅによって光が遮られることによりフォトトランジスタ２３の受光量は小さくなるので、ＬＥＤ２１の位置によってフォトトランジスタ２３の受光する光量を変化させることができる。
【００３６】
また、本実施形態では、フォトトランジスタ２３を支持するフォトトランジスタ支持部材２２を備え、遮蔽部２２ｅをフォトトランジスタ支持部材２２に一体的に形成することによって、遮蔽部２２ｅを設けたとしても部品点数が増加するのを抑制するとともに、遮蔽部２２ｅをフォトトランジスタ支持部材２２と異なる部材により形成する場合に比べて、構造を簡素化することができる。
【００３７】
また、本実施形態では、フォトトランジスタ２３を、ボビン１４が振動していない状態では、ＬＥＤ２１が出射する光の光路上に位置するように配置することによって、ボビン１４が振動していない状態にフォトトランジスタ２３が受光する受光量を基準とすることにより、容易に、ボビン１４が振動した場合、基準となる受光量と、ボビン１４が振動したときの受光量との差からＬＥＤ２１（ボビン１４）の振動量を検出することができる。
【００３８】
また、本実施形態では、フォトトランジスタ２３を、ボビン１４がボビン１４の振動の振幅の一方端であるＢ（図６参照）に位置するときに最大光量を受光し、ボビン１４がボビン１４の振動の振幅の他方端であるＣ（図６参照）に位置するときに最小光量を受光するように配置することによって、ボビン１４の位置によってフォトトランジスタ２３が受光する受光量が変化するので、フォトトランジスタ２３の受光量からボビン１４の振動を検出することができる。
【００３９】
また、本実施形態では、遮蔽部２２ｅを、フォトトランジスタ２３とＬＥＤ２１の出射方向側に所定の間隔を隔てて配置することによって、遮蔽部２２ｅがフォトトランジスタ２３に接するように配置されている場合と異なり、フォトトランジスタ２３の遮蔽部２２ｅと接する部分が光を受光できなくなるのを抑制することができるので、フォトトランジスタ２３の感度が悪くなるのを抑制することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、遮蔽部２２ｅを、フォトトランジスタ２３の光を受光する受光部２３ａをＬＥＤ２１の出射方向側から見て、受光部２３ａの下側半分を覆うように配置する例を示したが、本発明はこれに限らず、遮蔽部２２ｅを受光部２３ａの上側半分を覆うように配置してもよい。
【００４２】
また、上記実施形態では、発光素子としてＬＥＤ２１を用いる例を示したが、本発明はこれに限らず、ＬＥＤ２１以外の発光素子を用いてもよい。
【図面の簡単な説明】
【００４３】
【図１】本発明の一実施形態によるスピーカ装置の全体構成を示したブロック図である。
【図２】本発明の一実施形態によるスピーカの斜視図である。
【図３】本発明の一実施形態によるスピーカの側面図である。
【図４】図２の２００−２００線に沿った断面図である。
【図５】本発明の一実施形態によるフォトトランジスタ支持部材の斜視図である。
【図６】本発明の一実施形態によるフォトトランジスタに入射する光量を説明するための図である。
【図７】本発明の一実施形態による遮蔽部とフォトトランジスタとをＬＥＤの出射方向側から見た図である。
【符号の説明】
【００４４】
１  スピーカ
１４  ボビン
１７  ボイスコイル（コイル）
１９  マグネット（磁石）
２１  ＬＥＤ（発光素子）
２２  フォトトランジスタ支持部材（支持部）
２２ｅ  遮蔽部
２３  フォトトランジスタ（受光素子）
２３ａ  受光部  
【図１】
2008312088.tif 000003
【図２】
2008312088.tif 000004
【図３】
2008312088.tif 000005
【図４】
2008312088.tif 000006
【図５】
2008312088.tif 000007
【図６】
2008312088.tif 000008
【図７】
2008312088.tif 000009